(57)【要約】【課題】ＣＯＧ型の液晶表示パネルにおいて、容易かつ確実に前記各コモン電極および前記各セグメント電極のリーク検査を行う。【解決手段】表側の透明基板１２の切り離し部１５にダミー電極１６，１７を配設し、表示部１３に配設された各セグメント電極１８のうち１つおきの各セグメント電極１８からトランスファ部１４を介して切り離し部１５に延設したダミー電極端子１９をダミー電極１７に接続し、トランスファ部１４から切り離し部１５に延設しダミー電極１６に接続したダミー電極端子２１を各トランスファ部４，１４において裏側の透明基板２に配設された各コモン電極７のうち１つおきの各コモン電極７に導電接続する。【選択図】            図２
2004184545.tif 000002
【特許請求の範囲】
【請求項１】
表示部および前記表示部にトランスファ部を介して連接された電極端子部を備えた一方の透明基板と、表示部および前記表示部にトランスファ部を介して連接された切り離し部を備えた他方の透明基板とを有し、
前記一方の透明基板に、前記表示部に配設され一端部が前記トランスファ部に至るように形成された複数のコモン電極と、これらの各コモン電極の一端部から前記トランスファ部を介して前記電極端子部における液晶駆動用ＩＣチップの搭載位置に延設される複数のコモン電極端子と、前記トランスファ部から前記電極端子部における前記液晶駆動用ＩＣチップの搭載位置に延設される複数のセグメント電極端子とが設けられ、
前記他方の透明基板に、前記切り離し部に配設されたダミー電極と、前記表示部に配設され一端部が前記トランスファ部に至るように形成され前記各トランスファ部において前記一方の透明基板に配設された各セグメント電極端子と導電接続されている複数のセグメント電極と、前記各セグメント電極の一端部から前記トランスファ部を介して前記切り離し部に延設され前記ダミー電極に接続されているセグメント電極用のダミー電極端子と、前記トランスファ部から前記切り離し部に延設され前記ダミー電極に接続され前記各トランスファ部において前記一方の透明基板に配設された各コモン電極と導電接続されているコモン電極用のダミー電極端子とが設けられていることを特徴とする液晶表示パネルの電極端子構造。
【請求項２】
前記各セグメント電極のうち１つおきの各セグメント電極が前記各セグメント電極用のダミー電極端子を介して前記ダミー電極に接続され、前記各コモン電極のうち１つおきの各コモン電極が前記各コモン電極用のダミー電極端子を介して前記ダミー電極に接続されている請求項１に記載の液晶表示パネルの電極端子構造。
【請求項３】
前記他方の透明基板における前記切り離し部の前記表示部からの突出長さ寸法が前記電極端子部の前記表示部からの突出長さ寸法と比較して長く形成され、この長く形成された部分に前記ダミー電極が配設されている請求項１または請求項２に記載の液晶表示パネルの電極端子構造。
【請求項４】
表示部および前記表示部にトランスファ部を介して連接された電極端子部を備えた一方の透明基板と、表示部および前記表示部にトランスファ部を介して連接された切り離し部を備えた他方の透明基板とを有し、
前記一方の透明基板に、前記表示部に配設され一端部が前記トランスファ部に至るように形成される複数のコモン電極と、これらの各コモン電極の一端部から前記トランスファ部を介して前記電極端子部における液晶表示用ＩＣチップの搭載位置に延設される複数のコモン電極端子と、前記トランスファ部を介して前記電極端子部における前記液晶駆動用ＩＣチップの搭載位置に延設される複数のセグメント電極端子とが設けられ、
前記他方の透明基板に、前記切り離し部に配設されたダミー電極と、前記表示部に配設され一端部が前記トランスファ部に至るように形成され前記各トランスファ部において前記一方の透明基板に配設された各セグメント電極端子と導電接続されている複数のセグメント電極と、前記各セグメント電極の一端部から前記トランスファ部を介して前記切り離し部に延設され前記ダミー電極に接続されているセグメント電極用のダミー電極端子と、前記トランスファ部から前記切り離し部に延設され前記ダミー電極に接続され前記トランスファ部において前記一方の透明基板に配設された各コモン電極と導電接続されているコモン電極用のダミー電極端子とが設けられ、
前記切り離し部に配設され前記ダミー電極に接続されている前記セグメント電極用のダミー電極端子および前記コモン電極用のダミー電極端子を介して前記表示部の前記セグメント電極および前記コモン電極に電圧を印加し、前記セグメント電極および前記コモン電極のリーク検査を行なうことを特徴とする液晶表示パネルのリーク検査方法。
【発明の詳細な説明】
【０００１】
【発明の属する技術分野】
本発明は液晶表示パネルの電極端子構造および液晶表示パネルのリーク検査方法に係り、特に直接液晶駆動用ＩＣチップが搭載される液晶表示パネルの電極端子構造および液晶表示パネルのリーク検査方法に関する。
【０００２】
【従来の技術】
一般に、中間に液晶を充填した一対の透明基板の所定の部分に、選択的に電界を与えて特定の図形や文字等の画像を表示するための液晶表示パネルが、コンピュータや携帯電話等の表示画面として多く用いられている。
【０００３】
このような液晶表示パネルにおいては、従来より、液晶表示パネルの製造過程において、前記各一対の透明基板の相互に対向する面に配設された複数の電極が隣接する他の電極と接触していないかを検査するリーク検査が行われている。
【０００４】
この液晶表示パネルは、一対の透明基板のうち一方の透明基板が他方の透明基板と比較して平面形状が大きく形成されている。そして、この一方の透明基板の他方の透明基板から突出している部分には、電極端子部が形成されている。例えば、この電極端子部には、前記一方の透明基板に配設されたコモン電極、および他方の透明基板に配設されたセグメント電極がトランスファ部を介して液晶表示パネルの端縁に対して直交する方向に延設され、それぞれコモン電極端子およびセグメント電極端子とされている。さらに、前記電極端子部には、その一端縁部分にダミー電極が配設されており、前記各コモン電極端子および各セグメント電極端子は、それらの先端部から延設されたダミー電極端子を介して１つおきに前記ダミー電極に接続されている。
【０００５】
そして、前記液晶表示パネルについては、前記ダミー電極に電圧を印加することによって前記各コモン電極端子およびセグメント電極端子を介して各コモン電極およびセグメント電極に電圧を印加し、これにより、前記各コモン電極およびセグメント電極のリーク検査を行っている。
【０００６】
また、検査後には前記ダミー電極の形成領域を前記電極端子部から切り離すことにより各ダミー電極端子およびダミー電極を液晶表示パネルから除去し、前記各セグメント電極端子の構造を製品状態の構造にする。
【０００７】
ここで、従来より液晶表示パネルの電極端子部に直接液晶駆動用ＩＣチップを搭載し、前記電極端子部において液晶表示パネルの各電極端子と前記液晶駆動用ＩＣチップの各リード端子とを接続するＣＯＧ（Ｃｈｉｐ  Ｏｎ  Ｇｌａｓｓ  ）型の液晶表示装置が知られている。
【０００８】
この種の液晶表示装置の液晶表示パネルにおいては、例えば、各コモン電極から電極端子部に延設された各コモン電極端子が、一方の透明基板の端縁に直交する方向に延設された後、前記液晶駆動用ＩＣチップの搭載位置において電極端子部の中央方向に折曲するように延設され、前記液晶駆動用ＩＣチップの両端部分に形成された各リード端子と接続されるようになっている。また、各セグメント電極からトランスファ部を介して前記電極端子部に延設された各セグメント電極端子は、一方の透明基板の端縁に直交する方向に延設され、前記液晶駆動用ＩＣチップにおける液晶表示パネルの表示部側の側縁部分に形成された各リード端子と接続されるようになっている。
【０００９】
この液晶駆動用ＩＣチップ搭載前のＣＯＧ型の液晶表示パネルの場合には、前記各コモン電極端子および前記各セグメント端子をダミー端子に接続させることができないため、ピンプローブを用いたリーク検査が行われていた。
【００１０】
【発明が解決しようとする課題】
しかし、前記ＣＯＧ型の液晶表示パネルにおいて、前記各コモン電極および前記各セグメント電極の各電極端子が例えば６０μｍ以下の細かいピッチによって形成されている場合には、前記ピンローブを前記各電極端子１つおきに当接させることは極めて困難である。このため、前記各電極端子が細かいピッチによって形成されている場合には、前記ピンローブを用いて前記各電極のリーク検査を確実に行うことができなかった。
【００１１】
本発明はこれらの点に鑑みてなされたものであり、ＣＯＧ型の液晶表示パネルにつき各コモン電極および各セグメント電極の電極端子が細かいピッチによって形成されている場合であっても、容易かつ確実に前記各コモン電極および前記各セグメント電極のリーク検査を行うことができる液晶表示パネルの電極端子構造および液晶表示パネルのリーク検査方法を提供することを目的とする。
【００１２】
【課題を解決するための手段】
前記目的を達成するため、請求項１に記載の発明に係る液晶表示パネルの電極端子構造は、表示部および前記表示部にトランスファ部を介して連接される電極端子部を備えた一方の透明基板と、表示部および前記表示部にトランスファ部を介して連接された切り離し部を備えた他方の透明基板とを有し、前記一方の透明基板に、前記表示部に配設され一端部が前記トランスファ部に至るように形成された複数のコモン電極と、これらの各コモン電極の一端部から前記トランスファ部を介して前記電極端子部における液晶駆動用ＩＣチップの搭載位置に延設される複数のコモン電極端子と、前記トランスファ部から前記電極端子部における前記液晶駆動用ＩＣチップの搭載位置に延設される複数のセグメント電極端子とが設けられ、前記他方の透明基板に、前記切り離し部に配設されたダミー電極と、前記表示部に配設され一端部が前記トランスファ部に至るように形成され前記各トランスファ部において前記一方の透明基板に配設された各セグメント電極端子と導電接続されている複数のセグメント電極と、前記各セグメント電極の一端部から前記トランスファ部を介して前記切り離し部に延設され前記ダミー電極に接続されているセグメント電極用のダミー電極端子と、前記トランスファ部から前記切り離し部に延設され前記ダミー電極に接続され前記各トランスファ部において前記一方の透明基板に配設された各コモン電極と導電接続されているコモン電極用のダミー電極端子とを設けたことを特徴とする。
【００１３】
この請求項１に記載の発明によれば、各コモン電極および各セグメント電極は、他方の透明基板の切り離し部に形成された各ダミー電極端子を介してダミー電極に接続されているので、前記ダミー電極に電圧を印加するだけで、各ダミー電極端子から各トランスファ部を介して各コモン電極および各セグメント電極に電圧を印加することができる。
【００１４】
また、前記ダミー電極および前記各ダミー電極端子は他方の透明基板における切り離し部にのみ形成されているので、リーク検査終了後に、前記切り離し部を表示部およびトランスファ部から切り離すことによって、前記ダミー電極および前記各ダミー電極端子を前記液晶表示パネルから容易に除去することができる。
【００１５】
また、請求項２に記載の発明に係る液晶表示パネルの電極端子構造は、前記各セグメント電極のうち１つおきの各セグメント電極が前記各セグメント電極用のダミー電極端子を介して前記ダミー電極に接続され、前記各コモン電極のうち１つおきの各コモン電極が前記各コモン電極用のダミー電極端子を介して前記ダミー電極に接続されていることを特徴とする。
【００１６】
この請求項２に記載の発明によれば、ダミー電極に電圧を印加するだけで、各ダミー電極から各コモン電極１つおきに確実に電圧を印加することができる。
【００１７】
また、請求項３に記載の発明に係る液晶表示パネルの電極端子構造は、前記他方の透明基板における前記切り離し部の前記表示部からの突出長さ寸法が前記電極端子部の前記表示部からの突出長さ寸法と比較して長く形成され、この長く形成された部分に前記ダミー電極が配設されていることを特徴とする。
【００１８】
この請求項３に記載の発明によれば、一対の透明基板を一体に形成したとき、他方の透明基板における前記ダミー電極の形成位置を一方の透明基板から露出させることができる。
【００１９】
さらに、請求項４に記載の発明にかかる液晶表示パネルのリーク検査方法は、表示部および前記表示部にトランスファ部を介して連接された電極端子部を備えた一方の透明基板と、表示部および前記表示部にトランスファ部を介して連接された切り離し部を備えた他方の透明基板とを有し、前記一方の透明基板に、前記表示部に配設され一端部が前記トランスファ部に至るように形成される複数のコモン電極と、これらの各コモン電極の一端部から前記トランスファ部を介して前記電極端子部における液晶表示用ＩＣチップの搭載位置に延設される複数のコモン電極端子と、前記トランスファ部を介して前記電極端子部における前記液晶駆動用ＩＣチップの搭載位置に延設される複数のセグメント電極端子とが設けられ、前記他方の透明基板に、前記切り離し部に配設されたダミー電極と、前記表示部に配設され一端部が前記トランスファ部に至るように形成され前記各トランスファ部において前記一方の透明基板に配設された各セグメント電極端子と導電接続されている複数のセグメント電極と、前記各セグメント電極の一端部から前記トランスファ部を介して前記切り離し部に延設され前記ダミー電極に接続されているセグメント電極用のダミー電極端子と、前記トランスファ部から前記切り離し部に延設され前記ダミー電極に接続され前記トランスファ部において前記一方の透明基板に配設された各コモン電極と導電接続されているコモン電極用のダミー電極端子とが設けられ、前記切り離し部に配設され前記ダミー電極に接続されている前記セグメント電極用のダミー電極端子および前記コモン電極用のダミー電極端子を介して前記表示部の前記セグメント電極および前記コモン電極に電圧を印加し、前記セグメント電極および前記コモン電極のリーク検査を行なうことを特徴とする。
【００２０】
この請求項４に記載の発明によれば、ＣＯＧ型の液晶表示パネルにおいて、ピンプローブを使うことなく前記各セグメント電極および前記各コモン電極のリーク検査を行うことができる。
【００２１】
【発明の実施の形態】
以下、本発明に係る液晶表示パネルの電極端子構造の実施形態を図１から図３を参照して説明する。
【００２２】
図１は、本実施形態に係る液晶表示パネルが有する裏側の透明基板に形成された電極端子構造を示す平面概念図であり、図２は、前記液晶表示パネルが有する表側の透明基板に形成された電極端子構造を示す平面概念図である。なお、図１は前記裏側の透明基板を表面から視認している図であり、また図２は前記表側の透明基板を表面から、その裏面に形成された前記ダミー電極等を視認している図とする。
【００２３】
図１に示すように、前記液晶表示パネル１の裏側の透明基板２は、表示部３と、トランスファ部４を介してこの表示部３の一端縁に隣接する電極端子部５とにより構成されている。
【００２４】
また、前記表示部３における表面には、複数のコモン電極７が配設されており、これらコモン電極７の一端部は、前記表示部３の両側部分から前記トランスファ部４を介して前記電極端子部５の両側部分に延設されて、各コモン電極端子８とされている。
【００２５】
これら各コモン電極端子８は、裏側の透明基板２の端縁に対して直交する方向に形成された後、前記電極端子部５のほぼ中央に搭載される液晶駆動用ＩＣチップの搭載位置の方向に折曲するように略Ｌ字状に形成されて、この液晶駆動用ＩＣチップ（図示せず）の両端部分に形成される各リード端子に接続されるようになっている。
【００２６】
さらに、前記裏側の透明基板２の表面には、前記トランスファ部４のうち前記透明基板２の端縁長さの方向における中央部分から開始され、前記電極端子部５における前記液晶駆動用ＩＣチップの搭載位置の方向に至るように延設された複数のセグメント電極端子１０が、前記裏側の透明基板２の端縁に対して直交する方向に形成されており、この各セグメント電極端子１０は、前記液晶駆動用ＩＣチップにおける前記表示部３側の側縁部分に形成される各リード端子に接続されるようになっている。
【００２７】
また、前記表側の透明基板１２は、図２に示すように、表示部１３と、トランスファ部１４を介してこの表示部１３の一端縁に隣接する切り離し部１５とにより構成されており、この切り離し部１５の前記表示部１３からの突出寸法は、前記電極端子部５の前記表示部３からの突出寸法と比較して長く形成されている。そして、前記切り離し部１５における前記電極端子部５と比較して長く形成された一端部分には、その長さ方向における両端部分にコモン電極７用のダミー電極１６が、また中央部分にセグメント電極１８用のダミー電極１７が配設されている。
【００２８】
また、前記表示部１３における前記裏側の透明基板２に対向する裏面には、複数のセグメント電極１８が前記各コモン電極７に対向するように形成されている。これらセグメント電極１８の一端部は、前記表示部１３のうち前記透明基板１２の端縁長さの方向における中央部分から前記トランスファ部１４を介して前記切り離し部１５に至るように、前記表側の透明基板１２の端縁に対して直交する方向に延設されて、それぞれセグメント電極１８用の各ダミー電極端子１９とされており、これら各ダミー電極端子１９は、１つおきに前記ダミー電極１７に接続されている。そして、これら各ダミー電極端子１９は、前記各透明基板２，１２が一体に形成されたとき前記裏側の透明基板２に形成されたセグメント電極端子１０と各トランスファ部４，１４において対向するように形成されている。
【００２９】
さらにまた、前記表側の透明基板１２における裏面には、コモン電極７用の複数のダミー電極端子２１が前記トランスファ部１４のうち前記透明基板１２の端縁長さの方向における両端部分から開始されて前記切り離し部１５に至るように、前記表側の透明基板１２の端縁に直交する方向に配設されており、これらダミー電極端子２１は、１つおきに前記ダミー電極１６に接続されている。そして、これら各ダミー電極端子２１は、前記各透明基板２，１２が一体に形成されたとき前記裏側の透明基板２に形成されたコモン電極端子８と各トランスファ部４，１４において対向するように形成されている。
【００３０】
また、図３に示すように、前記各表示部３，１３の外周縁部分およびトランスファ部４，１４には、複数の導電粒子２３が混入されたシール材２４が配置されており、これによって前記各透明基板２，１２は、一体に形成されている。そして、前記表側の透明基板１２に形成された各セグメント電極１８は、前記各トランスファ部４，１４に配置される前記シール材２４を介して前記裏側の透明基板２に形成された各セグメント電極端子１０に接続されるようになっている。また、前記裏側の透明基板２に形成された各コモン電極７は、前記各トランスファ部４，１４に配置される前記シール材２４および前記各ダミー電極端子２１を介して前記ダミー電極１６に接続されるようになっている。また、前記シール材２４によって囲まれた内部には、液晶２５および複数のスペーサ２６が封入されている。
【００３１】
次に、本実施形態の作用について説明する。
【００３２】
まず、前記液晶表示パネル１の各セグメント電極１８用のダミー電極１７に電圧を印加すると、この電圧は、前記ダミー電極１７に接続された各ダミー電極端子１９から１つおきの各セグメント電極１８に印加される。また、各コモン電極７用のダミー電極１６に電圧を印加すると、前記各ダミー電極端子２１からトランスファ部４，１４のシール材を介して１つおきの各コモン電極７に印加され、これにより前記液晶表示パネル１を点灯させる。このとき、前記液晶表示パネル１の表示部３，１３で電圧が印加されていない電極が対向する画素においても点灯する場合には、各コモン電極７および各セグメント電極１８が隣接する各コモン電極７同士または隣接する各セグメント電極１８同士がリークしていることを確認できる。一方、前記液晶表示パネル１の表示部３，１３で電圧が印加された電極同士が対向する画素のみが点灯する場合には、各コモン電極７および各セグメント電極１８が隣接する各コモン電極７間および隣接する各セグメント電極１８間のリークが生じていないことを確認することができる。これにより、各コモン電極７および各セグメント電極１８のリーク検査を行うことができる。
【００３３】
本実施形態によれば、各コモン電極７は、１つおきに表側の透明基板１２の切り離し部１５に形成された各ダミー電極端子２１を介してダミー電極１６に接続されている。このため、前記ダミー電極１６に電圧を印加するだけで、各ダミー電極端子２１からトランスファ部４，１４を介して１つおきの各コモン電極７に電圧を印加することができる。
【００３４】
また、前記ダミー電極１６，１７および前記各ダミー電極端子１９，２１が表側の透明基板１２における切り離し部１５にのみ形成されているので、リーク検査終了後に、前記切り離し部１５を前記表示部１３およびトランスファ部１４から切り離すことによって、前記ダミー電極１６，１７および前記各ダミー電極端子１９，２１を前記液晶表示パネル１から容易に除去することができる。
【００３５】
したがって、各コモン電極７から延設されたコモン電極端子８が電極端子部５において折曲されて形成されていた場合であっても、または各コモン電極端子および各セグメント電極端子が細かいピッチによって形成されている場合であっても、各コモン電極７および各セグメント電極１８について１つおきに電圧を印加することができ、これにより、各セグメント電極１８および各コモン電極７につき容易かつ確実にリーク検査を行うことができる。
【００３６】
また、前記切り離し部１５を切り離すと、前記ダミー電極１６，１７および前記各ダミー電極端子１９，２１が前記液晶表示パネルから除去されるので、これにより、容易に液晶表示パネル１の製品状態の電極端子構造とすることができる。
【００３７】
さらに、前記切り離し部１５の突出長さ寸法は、前記電極端子部５の突出長さ寸法と比較して長く形成され、この長く形成された部分にダミー電極１６，１７が形成されているので、一対の透明基板２，１２を一体に形成したとき、表側の透明基板１２における前記ダミー電極１６，１７の形成位置が裏側の透明基板２から露出する。このため、リーク検査の際、容易に前記ダミー電極１６，１７に電圧を印加することができる。
【００３８】
なお、本発明は前記実施形態に限定されるものではなく、必要に応じて種々変更することが可能である。
【００３９】
例えば、本実施形態によれば、各コモン電極端子８が折曲して形成されているが、これに限定されず、各セグメント電極端子を折曲して形成し、前記各コモン折曲端子を前記裏側の透明基板の端縁に対して直交する方向に直線状に形成するものであってもよい。
【００４０】
【発明の効果】
以上述べたように、請求項１に記載の発明に係る液晶表示パネルの電極端子構造によれば、各コモン電極端子が電極端子部において折曲されて形成され、または細かいピッチによって形成されている場合であっても、前記ダミー電極に電圧を印加するだけで、各ダミー電極端子を介して各コモン電極および各セグメント電極に電圧を印加することにより容易かつ確実に各コモン電極および各セグメント電極の短絡、断線等の検査を行うことができる。
【００４１】
また、切り離し部を表示部およびトランスファ部から切り離すことのみによってダミー電極および各ダミー電極端子を液晶表示パネルから除去することができ、これにより容易に液晶表示パネルの製品状態の電極端子構造とすることができる。
【００４２】
また、請求項２に記載の発明に係る液晶表示パネルの電極端子構造によれば、ダミー電極に電圧を印加するだけで、各コモン電極１つおきに電圧を印加することができ、これにより容易かつ確実に各コモン電極のリーク検査を行うことができる。
【００４３】
また、請求項３に記載の発明に係る液晶表示パネルの電極端子構造によれば、ダミー電極の形成位置を一方の透明基板から露出させることができるので、リーク検査の際、容易に前記ダミー電極に電圧を印加することができる。
【００４４】
さらに、請求項４に記載の発明にかかる液晶表示パネルのリーク検査方法によれば、ＣＯＧ型の液晶表示パネルにおいてピンプローブを使うことなく前記各セグメント電極および前記各コモン電極の短絡や断線などの検査を容易に行うことができる。
【図面の簡単な説明】
【図１】本発明に係る液晶表示パネルの裏側の透明基板の電極端子構造を示す平面概念図
【図２】本発明に係る液晶表示パネルの表側の透明基板の電極端子構造を示す平面概念図
【図３】図１および図２に示す液晶表示パネルをＡ−Ａで切断した場合の電極端子構造を示す断面概念図
【符号の説明】
１  液晶表示パネル
２  透明基板
３  表示部
４  トランスファ部
５  電極端子部
７  コモン電極
８  コモン電極端子
１０  セグメント電極端子
１２  透明基板
１３  表示部
１４  トランスファ部
１５  切り離し部
１６  ダミー電極
１８  セグメント電極
１９  ダミー電極端子
２１  ダミー電極端子
【図１】
2004184545.tif 000003
【図２】
2004184545.tif 000004
【図３】
2004184545.tif 000005